(57)【特許請求の範囲】
【請求項１】
穿刺装置とともに使用するためのチップであって、
円形および楕円形のうちのいずれかの形状で形成された外周縁を有する基部と、
前記基部から上方へ延び、患者の皮膚と整合する鞍状の末端表面を有する壁であって、
該末端表面が、−１５度から−２０度までの間の小さい方のサドル角度と、４５度から６０度までの間の大きい方のサドル角度とを有する壁と、
前記チップを完全に貫通し、前記患者の皮膚を刺すための穿刺装置のランセットが通過するようにチップ内に前記基部の外周縁の形状と同一の形状で形成された開口と、
を含む鞍状のチップ。
【発明の詳細な説明】
【技術分野】
【０００１】
関連出願の相互参照
本出願は、米国特許法第１１９条（ａ）および第１１９条（ｅ）に基づいて、内容全体が参照により本明細書の一部を構成する２００９年７月３０日に出願された米国特許仮出願第６１／２１３，９３６号明細書の利益を主張するものである。
【０００２】
本発明は、使用者が穿刺された部位から血液を「ミルク（ｍｉｌｋ）」する必要のない穿刺装置に関する。より詳細には、本発明は、概ね、創傷から血液を圧出させるための鞍状チップを有する穿刺装置に関する。さらに詳細には、本発明は概ね、チップの中心の方へ皮膚を集めて穿刺された部位から血液を容易に圧出させる穿刺装置向けの鞍状チップに関する。
【背景技術】
【０００３】
血糖値を自己監視するには、使用者は、個別の量の毛細管血を（通常は指先から）摘出し、摘出した血液を使い捨ての要素上へ配置して分析する必要がある。血液の摘出は通常、穿刺し、穿刺された部位を引き続き「ミルキング（ｍｉｌｋｉｎｇ）」して、分析に十分な量の血液を圧出させることによって実現される。使用者が穿刺によって指に皮膚の開口を設けた後、指は「ミルク」され、すなわち、揉んだり締め付けたりして開口から採血する。
【０００４】
電気機械的センサの血液量の要件はマイクロリットル未満のレベルまで低下したが、それでもなお、使用者は通常、センサを起動させるのに十分な血液を圧出させるために、穿刺された部位を「ミルク」する必要がある。「ミルキング」プロセスは、血糖測定を得るタスクに他の複雑なステップおよびレベルを加える。
【０００５】
典型的な穿刺装置１００を図１に示す。ノーズ部分１０４は、末端部に、患者の皮膚を押さえ付ける表面１６８を有する。解放部材１３８によって作動されるとき、ノーズ部分１０４内に形成されたノーズオリフィス１８４を、ランセットスタイレットが通過する。
ランセットスタイレットの位置の表示マークは、透光性レンズ１１５によって覆われた窓１１２を通じて見える。しかし、ある実施例によれば、透光性レンズ１１５は省略される。ノーズ部分１０４の周りで調整カラー１０６を回転させて、所望の浸入深さを設定することができる。調整カラー１０６上の隆起または刻み目１１４により、調整カラーの回転を容易にする。ノーズ部分１０４には、本体アセンブリ１３６の末端端部２２８が接続される。本体アセンブリ１３６の基端部２３０には、つまみキャップ１２２が配置される。
図１に示す穿刺装置１００の組立ておよび動作については、全体として参照により本明細書の一部を構成する権利者が同一である２００３年５月６日に出願された米国特許第第６，５５８，４０２号明細書（特許文献１）に記載されている。
【０００６】
穿刺された部位を「ミルク」する必要をなくそうとするデバイスが、現在存在する。たとえば、ＢａｙｅｒのＶａｃｕｌａｎｃｅ（登録商標）というデバイスは、穿刺した後に真空にして皮膚を上方へ膨らませて、血液をよりよく圧出させる。ＡｂｂｏｔｔのＳｏｆｔ−Ｔａｃｔ（商標）という他のデバイスは、穿刺前後両方で真空にして皮膚を引き伸ばし、血液をよりよく圧出させる。しかし、これらの真空デバイスは、指以外の使用だけに限られている。したがって、使用者が穿刺された部位を「ミルク」して血液を圧出させる必要のない、使用者の指先で使用可能な穿刺装置が必要とされている。
【０００７】
さらに、真空にするには、真空デバイスと使用者の皮膚との間を封止するのに十分な表面積を必要とする。指先などの局部解剖学上均一ではない表面上に真空を作るのは困難である。通常、使用者は、必要な封止をうまく実現するための支持として平坦な表面を使用する。したがって、穿刺された部位の周りの封止または穿刺装置を支持するための平坦な表面を必要としない穿刺装置が必要とされている。
【先行技術文献】
【特許文献】
【０００８】
【特許文献１】米国特許第６，５５８，４０２号明細書
【特許文献２】米国特許出願公開第２００５／０２４０１１９号明細書
【特許文献３】米国特許第７，１９２，４０５号明細書
【発明の概要】
【課題を解決するための手段】
【０００９】
本発明の一面によれば、穿刺装置は、不必要な手動またはデバイス依存の操作なしで十分な量の血液を迅速にもたらす。
【００１０】
本発明の他の面によれば、穿刺装置は、使用者が穿刺装置を取り外して穿刺された部位を手動で「ミルキング」することを必要とせず血液を圧出させる。
【００１１】
本発明の他の面によれば、穿刺装置は、穿刺された部位の中心の方へ皮膚を動かす鞍状のチップと、最小閾値の力で圧縮するプレッシャースリーブとを有する。
【００１２】
本発明の実施例による穿刺装置は、使用者が不必要な手動またはデバイス依存の操作なしで十分な量の血液を迅速に得ることができる簡単なデバイスおよび方法を提供する。穿刺装置のチップに下向きの圧力が簡単に加えられ、使用者は、穿刺後に血液を手動で圧出させるために穿刺装置を取り外す必要がない。穿刺装置は、穿刺された部位の中心の方へ皮膚を集めるような形状のチップを有し、最小閾値の力で圧縮するプレッシャースリーブと結合される。
【００１３】
上述の目的は、穿刺装置とともに使用するためのチップを提供することによって達成され、チップは、周縁を有する基部と、基部から上方へ延び、患者の皮膚と整合する実質的に鞍状の末端表面を形成する壁とを含む。開口がチップを完全に貫通する。
【００１４】
上述の目的はまた、患者の皮膚と整合する実質的に鞍状の末端表面を有するチップと、チップを移動可能に収容するプレッシャースリーブアセンブリとを含む穿刺装置を提供することによって達成される。プレッシャースリーブアセンブリは、筐体と、第１の位置と第２の位置との間で移動可能なプレッシャースリーブとを含む。筐体とプレッシャースリーブの間に、ばねが接続される。筐体にランセットが一体に固定され、したがって、ランセットは、プレッシャースリーブが第１の位置にあるとき、覆われ、プレッシャースリーブが第２の位置にあるときはチップの実質的に鞍状の末端表面を通って露出される。
【００１５】
上述の目的は、また、採血方法を提供することによって達成される。穿刺装置のチップの末端表面は、穿刺部位で患者の皮膚と整合する。チップの末端表面は、実質的に鞍状である。チップの鞍状の末端表面に針を通し、穿刺部位で患者の皮膚を穿刺する。
【００１６】
本発明の上述その他の目的、利点、および顕著な特徴は、添付の図面と併せて本発明の例示的な実施例を開示する以下の詳細な説明から明らかになるであろう。
【００１７】
本発明の様々な実施例の上述の利益および他の利点は、本発明の例示的な実施例の以下の詳細な説明および添付の図面からより明らかであろう。
【図面の簡単な説明】
【００１８】
【図１】穿刺装置の斜視図である。
【図２】チップが実質的に鞍状である本発明の例示的な実施例に従う穿刺装置の斜視図である。
【図３】小さい方のサドル角度が約１５度である穿刺装置用の楕円形断面を有する鞍状のチップの斜視図である。
【図４】大きな方のサドル角度が約４５度である図３のチップの他の斜視図である。
【図５】楕円形を有するチップの開口を示す図３のチップの上面図である。
【図６】チップの開口が実質的に円形である穿刺装置用の鞍状のチップの他の例示的な実施例の斜視図である。
【図７】チップの開口が実質的に円形である穿刺装置用の鞍状のチップの他の例示的な実施例の斜視図である。
【図８】図６および図７におけるチップの上面図である。
【図９】急勾配の円形のチップを見せる穿刺装置のための鞍状のチップの他の例示的な実施例の斜視図である。
【図１０】急勾配の円形のチップを見せる穿刺装置のための鞍状のチップの他の例示的な実施例の斜視図である。
【図１１】図９および図１０におけるチップの上面図である。
【図１２】急勾配の楕円形チップを見せる穿刺装置のための鞍状のチップの他の例示的な実施例の斜視図である。
【図１３】急勾配の楕円形チップを見せる穿刺装置のための鞍状のチップの他の例示的な実施例の斜視図である。
【図１４】図１２および１３におけるチップの上面図である。
【図１５】図３〜図１４において示される例示的なサドル設計に関連する様々な寸法表である。
【図１６】メッシュが図２〜図１４における鞍状のチップに対応する指の面上に作られた局所解剖学上のメッシュを有する指モデルである。
【図１７】ｘ方向の指先の面の端から端までの角度を計算するために使用されるメッシュ上の様々な面を示すものであって、これらの面相互間の複数の角度が大きい方のサドル角度に対応するものである。
【図１８】図１６に見られる複数の面を作るために使用されるメッシュ上の複数の線を示す。
【図１９】Ｙ方向の指先の面の端から端までの角度を計算するために使用される複数の線および複数の面を示し、これらの面相互間の複数の角度が小さな方のサドル角度に対応するものである。
【図２０】図１８に示される複数の線に対するＸ−Ｚ平面の複数の角度の表である。
【図２１】図１９に示される複数の線に対するＹ−Ｚ平面の複数の角度の表である。
【図２２】使用者が指先で下向きの力を加える前における本発明の例示的な実施例に従う穿刺装置の図である。
【図２３】使用者が指先で下向きの力を加えた後における図２２の穿刺装置の図である。
【図２４】血液発生量について図１５に指定されたチップの幾何形状を使用することの効果を示すチャートである。
【図２５】図３〜図１４の例示的な鞍状のチップについての発生した血液量の表である。
【図２６】プレッシャースリーブアセンブリおよび楕円形断面を有する鞍状のチップを使用し、穿刺前だけの加圧と、穿刺前後の加圧とを比較したチャートである。
【図２７】本発明の他の例示的な実施例に従って実質的に鞍状の末端表面を有するチップを含む血糖測定装置の斜視図である。
【図２８】本発明の他の例示的な実施例に従って実質的に鞍状の末端表面を有するチップを含む穿刺装置の斜視図である。
【発明を実施するための形態】
【００１９】
図面全体にわたって、同一の参照数字は、同一の部分、構成要素、および構造を指すということである。
【００２０】
本明細書に開示する本発明の例示的な実施例は、「ミルキング（ｍｉｌｋｉｎｇ）」の必要をなくす穿刺装置をもたらす。チップの幾何形状は、下向きの圧力を簡単に加えることによって、血糖測定に必要とされる必要な量の血液を引き出すように設計される。この圧力は、穿刺前もしくは穿刺後、または、穿刺前後両方で加えられ得る。複数の実験的な試験が行われ、前述の様々な加圧状態の利点を確認した。
【００２１】
図２、図２２、および、図２３に示されるように、本発明の例示的な実施例による穿刺装置１１は、チップ４１と、プレッシャースリーブアセンブリ３１とを含む。穿刺装置１１は、創傷部位の下の毛細血管床を立ち上がらせることによって、わずかな創傷から血液を圧出させる。毛細血管床は、２つの相補型の装置、すなわち、チップ４１およびプレッシャースリーブアセンブリ３１によって立ち上げられる。チップ４１は、透明であっても、不透明であってもよい。透明なチップにより、使用者は、血液の発生量を目視で検出でき、付加的な圧力が血液の発生量を増大させるために必要であるかどうかを確認することができる。
【００２２】
チップ４１は、指５１の皮膚に接触し、穿刺された部位を取り囲む指先の面上で皮膚を隆起させる。チップ４１の末端表面４２は、所定の直径内に指先の一部分を収容する鞍状を有する。また、チップは、穿刺された部位の中心の方へ皮膚を隆起させる傾斜した内部を有する。穿刺された部位の周りで皮膚を集め、それによって、穿刺された部位から血液を容易に圧出させる様々な鞍状の幾何形状および傾斜した内部が、図３〜図１４に示される。したがって、本発明の例示的な実施例による鞍状のチップは、指先以外の部位を穿刺するために使用可能とされる。
【００２３】
プレッシャースリーブアセンブリ３１は、鞍状のチップ４１と嵌り合い、筐体３７内に圧縮ばね３５を含む。鞍状のチップ４１が使用者の指５１の面上に配置される場合、それから、使用者は、プレッシャースリーブ３３を押し下げ、それによって、付加的な皮膚を上方へ隆起させる。圧縮ばね３５は、任意の寸法で作られ得る。例えば、２ポンド（８．９ニュートン）の力で完全に圧縮するばねを使用することができる。したがって、穿刺前に使用者が加えなければならない最小の力は、２ポンド（８．９ニュートン）である。穿刺後、使用者は、解放し、所望量の血液が光学的、電気的、または機械的に測定され得るまで何回も、プレッシャースリーブ３３に圧力を再び加え得る。皮膚がチップの内側の角度と合うように穿刺前に使用者に最小の力を加えることを要求することにより、それによって、毛細血管床を立ち上がらせる。また、圧力が皮膚を引き伸ばし、それによって、従来の穿刺によって作られるよりも大きな創傷をもたらし、ならびに、穿刺された部位から血液を容易に圧出させる。
【００２４】
ランセット２１は、使用後に穿刺装置全体を使い捨てできるように、穿刺装置１１と一体に形成され得る。代替的に、ランセット２１は、使用後にランセット２１のみを取り外して新たなランセットと交換するように、穿刺装置１１内に取外し可能に配置されてもよい。
【００２５】
図２２および図２３に示されるように、鞍状のチップ４１がプレッシャースリーブアセンブリ３１のプレッシャースリーブ３３に接続される。鞍状のチップ４１およびプレッシャースリーブ３３は、プレッシャースリーブアセンブリ３１の筐体３７に摺動可能に接続される。圧縮ばね３５は、プレッシャースリーブ３３と筐体３７の内面との間に配置される。従来のランセット２１は、図２２に示されるように、ばね３５が圧縮されていない場合、針２３は鞍状のチップ４１を通って露出されないように、プレッシャースリーブ３３内に配置される。図２３に示されるように、使用者の指５１が鞍状のチップ４１に十分な下向きの圧力を加えた場合、鞍状のチップ４１およびプレッシャースリーブ３３は下方へ動き、ばね３５を圧縮する。図５における開口４３のような開口が、ランセット２１をそれを通じて通過させるようにチップ４１を完全に貫通している。下向きの圧力が加えられた場合、ランセットおよび針は動かず、それによって、図２２および図２３に示されるように、鞍状のチップ４１を通って針２３を露出させ、使用者の指５１を穿刺するように、針２３を含むランセット２１は一体に固定されている。
【００２６】
鞍状のチップ４１の様々な幾何形状が、図３〜図１４に示されている。鞍状のチップの第１の例示的な実施例が、図３〜５に示されている。チップ４１は、基部９１と、基部９１から上方へ延び、患者の皮膚と整合する実質的に鞍状の末端表面４２を形成する壁９３とを有する。開口４３は、チップ４１を完全に貫通する。
【００２７】
鞍状のチップの等角図が、図３および４に示され、それぞれ、Ｘ−Ｚ平面およびＹ−Ｚ平面内のチップの角度を示す。図１５における表に詳述されるように、Ｘ−Ｚ（小さい方）平面、および、Ｙ−Ｚ（大きい方）平面内の角度は、それぞれ、約１５度および４５度である。図５は、チップが楕円形の開口４３および楕円形の外周縁４５を有する鞍状のチップ４１の上面図である。しかし、本発明は、図面および表に示す様々な角度および幾何形状に限定されるものではない。鞍状のチップは、指先の面および指球と合い、そのチップの非対称形は、大部分の指球の非対称形と合う。
【００２８】
鞍状のチップ６１の第２の例示的な実施例が、図６〜図８に示される。鞍状のチップの等角図が、図６および図７に示され、それぞれＸ−Ｚ平面およびＹ−Ｚ平面におけるチップの角度を示す。図１５の表に詳述されるように、Ｘ−Ｚ（小さい方）平面およびＹ−Ｚ（大きい方）平面における角度は、それぞれ、約２０度および６０度である。図８は、チップが実質的に円形の開口６３および実質的に円形の外周縁６５を有する鞍状のチップ６１の上面図である。
【００２９】
鞍状のチップ７１の第３の例示的な実施例が、図９〜図１１に示される。鞍状のチップの等角図が、図９および図１０に示され、それぞれ、Ｘ−Ｚ平面およびＹ−Ｚ平面におけるチップの角度を示す。図１５の表に詳述されるように、Ｘ−Ｚ（小さい方）平面およびＹ−Ｚ（大きい方）平面における角度は、それぞれ、約１５度および４５度である。図１１は、チップが実質的に円形の開口７３および実質的に円形の外周縁７５を有する鞍状のチップ７１の上面図である。
【００３０】
鞍状のチップ８１の第４の例示的な実施例が、図１２〜図１４に示される。鞍状のチップの等角図が、図１２および１３に示され、それぞれ、Ｘ−Ｚ平面およびＹ−Ｚ平面におけるチップの角度を示す。図１５の表に詳述するように、Ｘ−Ｚ（小さい方）平面およびＹ−Ｚ（大きい方）平面における角度は、それぞれ、約２０度および６０度である。図１４は、チップが楕円形の開口８３および楕円形の外周縁８５を有する鞍状のチップ８１の上面図である。
【００３１】
最大長さ約１インチ、幅約０．５インチ（１．２７ｃｍ）、および深さ約０．４インチ（１．０１６ｃｍ）を有する人間の指先のモデルを作るために２４０面の個々の表面を有する多角形の手のモデルが、使用された。指の様々な表面に投影され、様々な鞍状のチップの実験的な試験で使用される領域の周りに配置されるメッシュ（ｍｅｓｈ）を作るためにそのモデルが使用された。図１６において、メッシュ領域の長さは、図１５の表に挙げた４つのチップの最大外径の値にほぼ等しい約０．５インチ（１．２７ｃｍ）である。
【００３２】
そのメッシュは、Ｘ−Ｚ平面およびＹ−Ｚ平面における指のトポロジーにおける角度変動を評価するために使用された。図１７に示されるように、複数の面が、その相互間の角度を測定するためにそのメッシュの中心および縁部に沿って作られた。指先のメッシュは、右手の薬指から作り出されたものである。したがって、大多数の右利きの糖尿病患者が代表的に自身を穿刺する箇所に対して通常とは「逆となる側」である。
【００３３】
図１７における平面２０１は、指先における「最上部」の複数の点を通り、中心である。図１８における垂直の線は、Ｘ−Ｚ平面内の角度を画定するために引き続き、使用される平面を画定するように明示される。これらの測定値については、図２０の表にまとめられている。図１９における複数の水平線は、Ｙ−Ｚ平面における角度を画定するために引き続き使用される平面を画定するように明示される。これらの測定値については、図２１の表にまとめられている。図２０および２１の表に示されるデータは、メッシュの長さおよび幅にわたって得られた１２０を超える角度関係の平均値である。
【００３４】
これらの結果は、これらの測定値の平均値が、図１５における表に指定された範囲内に入ることを示し、すなわち、Ｙ−Ｚ平面内の角度が約４５度以上６０度以下の間であること、そして、Ｘ−Ｚ平面内の角度が約１５度以上２０度以下の間であることを示す。また、これらの結果は、人間の指先の非対称性を示す。また、そのチップは、人間の指先と合致させ、力を不均一に加えるように、非対称形に設計され得る。
【００３５】
図２４および図２５における表は、チップの実験的な試験により得られたデータを示す。被験者は、各チップで（従来の穿刺装置に接続されたもの）不特定量の下向きの力を加え、自身を穿刺した（３３ゲージのランセットで）。それから、さらに３秒間にわたって下向きの力を加えた。その結果としての穿刺された部位における血液発生量が、採取され、１μＬの毛細管を使用して測定された。これらの結果は、図３〜図５に示される楕円形の開口を有する鞍状のチップが最大の血液量を発生させたことを示す。楕円形の開口は、半径方向に非対称形な部分内の皮膚を捕らえ、したがって、穴をあけた部位を取り囲む皮膚に対して圧力を不均一に加える。
【００３６】
プレッシャースリーブの設計は、使用者が、穿刺前に少なくとも２ポンド（８．９ニュートン）の力を上部に加えることを必要とする。この最小の力の印加に失敗すると、ランセットが指先に入り込むことを妨げる。
【００３７】
実験的研究が、穿刺前だけの加圧による血液発生量が穿刺前後両方の加圧による血液発生量と等しいか、または、それよりも大きい血液発生量をもたらすかどうかを確認するために着手された。図２６に示されるように、穿刺前後両方の加圧は、穿刺前だけの加圧によって得られる量よりもより多くの量の血液をもたらした。穿刺後の加圧は、ばねが完全に圧縮されたプレッシャースリーブの１つのポンプ（ｐｕｍｐ）からなる。これは、２次加圧の値が少なくとも２ポンド（８．９ニュートン）であったことを意味する。しかし、各使用者によって加えられた力の平均値は、２ポンド（８．９ニュートン）の力を超えるという特徴がなかった。これらの結果は、穿刺前後両方の加圧が、血液発生量を促進することを明白に示す。
【００３８】
チップの他の例示的な実施例が、図６〜図１４に示される。チップの他の例示的な実施例において変更される様々なパラメータの中には、サドルの大きい方の角度および小さい方の角度を含む。表面積、指先に接触するチップの部分、ならびに、チップの内径および外径は、他の例示的な実施例のそれぞれにおいて、一定に保たれる。サドル角度の変動は、人間の指先の違いに現れる。様々なチップの例示的な実施例の寸法の例は、図１５における表に示される。
【００３９】
サドルの大きい方の角度および小さい方の角度を変更することに加えて、嵌り合う表面の表面積、形状、および整合性のようなチップの他のパラメータは、変更され得る。さらに、チップで使用される物質は、均一である必要はない。バリアブルコンプライアンス（ｖａｒｉａｂｌｅ  ｃｏｍｐｌｉａｎｃｅ）を有する材料から作製されるチップは、穿刺された部位からの血液の摘出を容易にすることができる。
【００４０】
増大または減少されたばね定数（剛性）の圧縮ばねが、プレッシャースリーブアセンブリにおいて使用され得る。固有値をもった圧縮ばねが、穿刺前後両方に使用者が加えなければならない最小の力を決定するが、圧縮ばねは、皮膚に加えることができる最大の力を制限しない。
【００４１】
本発明の他の例示的な実施例においては、図２７に示されるように、血糖計１０１は、鞍状のチップ１４１を有する。血糖計１０１（異なるチップを有する）の詳細な説明は、全体が参照により本明細書の一部を構成し、２００５年１０月２７日に米国特許出願公開第２００５／０２４０１１９号明細書（特許文献２）として公開された権利者が同一である米国特許出願第１１／１０６，７２８号明細書においてもたらされる。血糖計１０１は、好都合に片手で使用できるように構成された装置本体１１０と、試験片ポート１２０と、装置本体１１０のその端部に配置されたランセットデバイス１３０とを含む。それによって、ランセットデバイス１３０によって摘出された血液滴を、試験片ポート１２０内の試験片（破線で示す）上に直ちに付着可能とされる。取外し可能なカバー１４０は、ランセットの交換を可能にし、また、試験片ポート１２０内へ試験片を好都合に容易に装着するための大きな差込口部１４５をもたらす。装置本体１１０の側面のトリガーボタン１５０により、穿刺中に快適に位置決めすることができる。トリガーボタン１５０は、当業者には知られるように、使用者によって押下された場合のように、トリガーボタン１５０に力が作用した場合、ランセットを作動させるように、装置本体１１０内のランセットデバイス１３０のランセット機構と機械的に係合されている。装置本体１１０の筐体における両側および下部のアーミングスライド１６０は、デバイスの裏面の方へ動かされた場合、ランセットデバイス１３０の穿刺機構を作動状態にする。アーミングスライド１６０の配置が、装置本体１１０の外側の寸法を可能な限り小さく保つ。筐体１７０は、複数の試験片を含む試験片バイアル１７５を収容し、片手でバイアルを開けることができる。装置本体１１０は、試験片を処理する血糖計１８０と、筐体１７０の下部に配置され電子ペン型の注射器または他のデバイスとのデータ交換のためのデータコネクタ（不図示）と、をさらに含む。血糖計１８０は、表示窓１８２と、複数の計器操作ボタン、即ち、複数のコントロール１８４とをさらに含むことができる。筐体１７０は、装置本体１１０から試験片バイアルを取り外すことなく、試験片バイアル１７５のラベルの試験片のロット番号の読み取りを可能にする窓（不図示）をさらに含むことができる。これらの複数の構成要素を単一の装置本体１１０に組み合わせることによって、その装置は、より少ない試験ステップですみ、血糖値を試験するために限られた位置、あるいは、理想的な位置とは言えない位置でさえ、装置をより使いやすくする。鞍状のチップ１４１は、そのような血糖計１０１とともに使用することに限定されるものではなく、全体が参照により本明細書の一部を構成し権利者が同一であるＤｅＮｕｚｚｉｏらの米国特許第７，１９２，４０５号明細書（特許文献３）に記載されているように、任意の適当な血糖計内へ組み込むことができる。
【００４２】
本発明の他の例示的な実施例では、図２８に示されるように、穿刺装置２００は、実質的に鞍状である末端表面２６８を有するチップ２０４を含む。解放部材１３８を押すことによってトリガー機構を作動させたとき、チップ２０４内の開口２８４により、ランセットが通過することができる。穿刺装置２００の組立ておよび動作は、図１を参照して上述した穿刺装置１００のもの、および全体として参照により本明細書の一部を構成し、権利者が同一である２００３年５月６日に出願された米国特許第６，５５８，４０２号明細書（特許文献１）に記載されているものと実質的に同様である（チップ２０４を除く）。
【００４３】
上述の実施例および利点は、例示にすぎず、本発明の範囲を限定するように解釈されるべきではない。様々な変更、代替、および変形は、当業者にとって明らかであり、添付の特許請求の範囲により画定される本発明の範囲およびそれらの均等物に入ることを意図する。
【図１】
0006473717.tif 000002
【図２】
0006473717.tif 000003
【図３】
0006473717.tif 000004
【図４】
0006473717.tif 000005
【図５】
0006473717.tif 000006
【図６】
0006473717.tif 000007
【図７】
0006473717.tif 000008
【図８】
0006473717.tif 000009
【図９】
0006473717.tif 000010
【図１０】
0006473717.tif 000011
【図１１】
0006473717.tif 000012
【図１２】
0006473717.tif 000013
【図１３】
0006473717.tif 000014
【図１４】
0006473717.tif 000015
【図１５】
0006473717.tif 000016
【図１６】
0006473717.tif 000017
【図１７】
0006473717.tif 000018
【図１８】
0006473717.tif 000019
【図１９】
0006473717.tif 000020
【図２０】
0006473717.tif 000021
【図２１】
0006473717.tif 000022
【図２２】
0006473717.tif 000023
【図２３】
0006473717.tif 000024
【図２４】
0006473717.tif 000025
【図２５】
0006473717.tif 000026
【図２６】
0006473717.tif 000027
【図２７】
0006473717.tif 000028
【図２８】
0006473717.tif 000029